(57)【要約】【課題】表示板と板部材とを精度よく位置決めすることができる時計を提供する。【解決手段】１箇所以上の位置決め部２１，２２を有する地板２と、位置決め部２１に係止する１箇所以上の第１位置決め受け部３３を有し、地板２に重なる位置に配置される板部材３と、位置決め部２２に係止する１箇所以上の第２位置決め受け部５５を有し、板部材３に重なる位置に配置される表示板５と、を備えた時計１０。【選択図】図１
2018128443.tif 000002
【特許請求の範囲】
【請求項１】
１箇所以上の位置決め部を有する地板と、
前記位置決め部に係止する１箇所以上の第１位置決め受け部を有し、前記地板に重なる位置に配置される板部材と、
前記位置決め部に係止する１箇所以上の第２位置決め受け部を有し、前記板部材に重なる位置に配置される表示板と、を備えた時計。
【請求項２】
前記位置決め部は、前記地板に形成された突起であり、
前記第１位置決め受け部および前記第２位置決め受け部は、前記位置決め部に係止する凹部である、請求項１に記載の時計。
【請求項３】
前記板部材を前記地板に押さえつける枠体をさらに備えている、請求項１または２に記載の時計。
【請求項４】
前記地板に、前記表示板に当接して前記表示板の厚さ方向の位置を定める台部が形成されている、請求項１〜３のうちいずれか１項に記載の時計。
【請求項５】
前記地板に、前記表示板を固定する表示板固定部が形成され、
前記表示板に、前記表示板固定部に係合する固定受け部が形成されている、請求項１〜４のうちいずれか１項に記載の時計。
【請求項６】
前記板部材が太陽電池である、請求項１〜５のうちいずれか１項に記載の時計。
【請求項７】
前記第１位置決め受け部のうち少なくとも１箇所、および前記第２位置決め受け部のうち少なくとも１箇所は、共通の前記位置決め部に係止する、請求項１〜６のうちいずれか１項に記載の時計。
【請求項８】
前記板部材の前記地板側に、耐磁板が設けられ、
前記耐磁板は、前記位置決め部に係止する１箇所以上の第３位置決め受け部を有する、請求項１〜７のうちいずれか１項に記載の時計。
【請求項９】
アンテナ素子をさらに備え、
前記耐磁板に、前記地板の厚さ方向から見て、前記アンテナ素子に重なる位置を回避する切欠きが形成されている、請求項８に記載の時計。
【請求項１０】
前記耐磁板は、前記地板側に設けられたアース導通部に電気的に導通する、請求項８または９に記載の時計。
【請求項１１】
前記地板に、前記表示板を固定する表示板固定部が形成され、
前記耐磁板は、前記表示板固定部に係止する案内受け部を有する、請求項８〜１０のうちいずれか１項に記載の時計。
【発明の詳細な説明】
【技術分野】
【０００１】
本発明は、時計に関する。
【背景技術】
【０００２】
例えば、指針を用いて文字板上に時刻を表示するアナログ式時計では、板状のソーラーセルが用いられることがある（例えば、特許文献１を参照）。
特許文献１に記載の時計は、モジュールと、ソーラーセル（板部材）と、支持部材と、表示板とを備えている。ソーラーセルは、位置決め凹部がモジュールの位置決め突起に係合することによってモジュールに位置決めされる。表示板は、位置決め凸部が支持部材の位置決め凹部に係合することによって支持部材に位置決めされる。支持部材は、係止フックがモジュールの係止凹部に係合することによってモジュールに固定される。
【先行技術文献】
【特許文献】
【０００３】
【特許文献１】特開平１１−１４８９８１号公報
【発明の概要】
【発明が解決しようとする課題】
【０００４】
前記時計では、表示板とソーラーセルの面内方向の位置ずれが生じやすかった。また、表示板の厚さ方向の位置にばらつきが生じやすいため、指針と表示板との間に、前記ばらつきを考慮に入れた十分な隙間を確保する必要がある。そのため、時計の薄型化の点で不利であった。
【０００５】
本発明の一態様は、表示板と板部材とを精度よく位置決めすることができる時計を提供することを目的とする。
【課題を解決するための手段】
【０００６】
本発明の一態様は、１箇所以上の位置決め部を有する地板と、前記位置決め部に係止する１箇所以上の第１位置決め受け部を有し、前記地板に重なる位置に配置される板部材と、前記位置決め部に係止する１箇所以上の第２位置決め受け部を有し、前記板部材に重なる位置に配置される表示板と、を備えた時計を提供する。
この構成によれば、板部材と表示板とがいずれも地板に対して位置決めされるため、板部材と表示板とを面内方向に精度よく位置決めできる。
また、表示板が直接、地板に当接して位置決めされるため、表示板を厚さ方向に精度よく位置決めすることができる。そのため、例えば指針と表示板との隙間を小さく設計することができ、時計の薄型化の点で有利である。
【０００７】
前記位置決め部は、前記地板に形成された突起であり、前記第１位置決め受け部および前記第２位置決め受け部は、前記位置決め部に係止する凹部であってもよい。
この構成によれば、板部材および表示板に突起が形成され、地板に、前記突起に係止する凹部が形成されている場合に比べて、板部材および表示板の構造が簡略となり、その製造が容易となる。
【０００８】
前記時計は、前記板部材を前記地板に押さえつける枠体をさらに備えている構成としてもよい。
この構成によれば、板部材の浮き上がりを防ぎ、板部材を精度よく厚さ方向に位置決めできる。また、前記枠体を前記表示板の外周を囲む形状とすることで、ケース収納時などに、誤って表示板が脱落するのを防ぐことができる。また、板部材を地板の端子に押さえつけることができるため、板部材と端子との間の確実な電気的導通が得られる。
【０００９】
前記時計は、前記地板に、前記表示板に当接して前記表示板の厚さ方向の位置を定める台部が形成されている構成としてもよい。
この構成によれば、表示板の厚さ方向の位置決め精度を高めることができる。
【００１０】
前記時計は、前記地板に、前記表示板を固定する表示板固定部が形成され、前記表示板に、前記表示板固定部に係合する固定受け部が形成されている構成としてもよい。
この構成によれば、表示板を地板に確実に固定できる。
【００１１】
前記時計は、板部材が太陽電池である構成としてもよい。
この構成によれば、太陽、照明などからの光を電気エネルギーに変換して利用することができる。
【００１２】
前記時計は、前記第１位置決め受け部のうち少なくとも１箇所、および前記第２位置決め受け部のうち少なくとも１箇所は、共通の前記位置決め部に係止する構成としてもよい。
この構成によれば、板部材と表示板とが係止する位置決め部が互いに異なる場合に比べ、板部材と表示板との位置決め精度を高めることができる。
【００１３】
前記時計は、前記板部材の前記地板側に、耐磁板が設けられ、前記耐磁板は、前記位置決め部に係止する１箇所以上の第３位置決め受け部を有する構成としてもよい。
この構成によれば、耐磁板によって、モータ等への外部磁場の影響を抑制できる。
【００１４】
前記時計は、アンテナ素子をさらに備え、前記耐磁板に、前記地板の厚さ方向から見て、前記アンテナ素子に重なる位置を回避する切欠きが形成されている構成としてもよい。
この構成によれば、アンテナ素子が耐磁板によって覆われるのを回避し、アンテナ素子の送受信の特性を高めることができる。
【００１５】
前記時計は、前記耐磁板が、前記地板側に設けられたアース導通部に電気的に導通する構成としてもよい。
この構成によれば、静電ノイズを抑制できる。
【００１６】
前記時計は、前記地板に、前記表示板を固定する表示板固定部が形成され、前記耐磁板は、前記表示板固定部に係止する案内受け部を有する構成としてもよい。
この構成によれば、落下等により衝撃が加えられることにより第３位置決め受け部に変形が生じた場合でも、表示板固定部が案内受け部に係止することによって、耐磁板の脱落を防ぐことができる。
【発明の効果】
【００１７】
本発明の一態様は、１箇所以上の位置決め部を有する地板と、前記位置決め部に係止する１箇所以上の第１位置決め受け部を有し、前記地板に重なる位置に配置される板部材と、前記位置決め部に係止する１箇所以上の第２位置決め受け部を有し、前記板部材に重なる位置に配置される表示板と、を備える。
本発明の一態様によれば、板部材と表示板とがいずれも地板に対して位置決めされるため、板部材と表示板とを面内方向に精度よく位置決めできる。また、表示板が直接、地板に当接して位置決めされるため、表示板を厚さ方向にも精度よく位置決めすることができる。
【図面の簡単な説明】
【００１８】
【図１】第１実施形態に係る時計の分解斜視図である。
【図２】図１の時計の組み立て工程を示す斜視図である。
【図３】太陽電池を組み付けた状態を示す斜視図である。
【図４】前図に続く組み立て工程を示す斜視図である。
【図５】枠体を組み付けた状態を示す斜視図である。
【図６】前図に続く組み立て工程を示す斜視図である。
【図７】表示板を組み付けた状態を示す斜視図である。
【図８】第２実施形態に係る時計の分解斜視図である。
【図９】第３実施形態に係る時計の分解斜視図である。
【図１０】耐磁板とアース導通部との当接構造の例を示す模式図である。
【図１１】耐磁板とアース導通部との当接構造の他の例を示す模式図である。
【図１２】図９の時計の組み立て工程を示す斜視図である。
【図１３】耐磁板を組み付けた状態を示す斜視図である。
【発明を実施するための形態】
【００１９】
本発明の実施形態を図面に基づいて説明する。以下に説明する実施形態は、本発明を電子時計に適用した一例である。
＜第１の実施形態＞
図１は、第１実施形態に係る電子時計１０（時計）の分解斜視図である。
図１に示すように、電子時計１０は、ムーブメント１と、表示板５とを備えている。ムーブメント１は、ムーブメント本体１Ａと、地板２と、太陽電池３と、枠体４と、指針軸６とを備える。表示板５は、ムーブメント１の上側に位置する。Ｃは、電子時計１０の中心軸線である。中心軸線Ｃに沿う方向のうち一方向を第１軸線方向Ｃ１といい、第１軸線方向Ｃ１と反対の方向を第２軸線方向Ｃ２という。以下、第１軸線方向Ｃ１を上方といい、第２軸線方向Ｃ２を下方ということがある。中心軸線Ｃは、ムーブメント１（地板２、太陽電池３、枠体４および指針軸６）、および表示板５の中心を通る。
中心軸線Ｃ周りの方向を周方向Ｒという。周方向Ｒのうち一方向を第１周方向Ｒ１といい、周方向Ｒのうち第１周方向Ｒ１と反対の方向を第２周方向Ｒ２という。中心軸線Ｃに垂直な面に沿う方向を面内方向という。
【００２０】
電子時計１０は、指針軸６に取り付けられる指針（時針、分針、および秒針）（図示略）を有する。電子時計１０は、図示しないが、風防、裏蓋、ベゼル、ケース、およびベルトを備えた構成とすることができる。ケースは、ムーブメント１および表示板５を収納する。風防は、ケースの開口にベゼルによって取り付けられている。風防は、太陽光などの光を透過する材質、例えばガラス、プラスチックで形成されている。
【００２１】
ムーブメント１（詳しくはムーブメント本体１Ａ）は、例えば、回路ブロック（例えば発振回路、制御回路等）、電池（二次電池）、モータ等を備えている。電池は、太陽電池３によって供給された電気エネルギーによって充電される。モータは、指針軸６を駆動する。
【００２２】
地板２は、板状の本体部２Ａと、一対の第１位置決め突起部２１（位置決め部、突起）と、一対の第２位置決め突起部２２（位置決め部、突起）と、複数の固定突起部２３（表示板固定部）と、一対の高さ台部群２４Ａと、一対の太陽電池端子２５と、を有する。地板２は、ムーブメント本体１Ａの上面側に設けられる。本体部２Ａは、例えば、中心軸線Ｃと平行な方向から見て、概略、円形の環状に形成されている。
【００２３】
第１位置決め突起部２１は、本体部２Ａの第１主面２ａ（第１軸線方向Ｃ１側の面）に、第１軸線方向Ｃ１（図１の上方）に突出して形成されている。第１位置決め突起部２１の形状は特に限定されないが、例えば中心軸線Ｃと平行な中心軸を有する円柱状である。一対の第１位置決め突起部２１は、互いに周方向Ｒに離れた位置にある。一対の第１位置決め突起部２１の相対位置は特に限定されないが、例えば中心軸線Ｃを軸として回転対称となる位置が好ましい。
なお、第１位置決め突起部の数は２に限らず、１であってもよいし、２以上の任意の数（複数）であってもよい。複数の第１位置決め突起部は、中心軸線Ｃに対してｎ回対称（ｎは２以上の整数）の回転対称位置に形成することができる。
【００２４】
第２位置決め突起部２２は、本体部２Ａの第１主面２ａに、第１軸線方向Ｃ１（図１の上方）に突出して形成されている。第２位置決め突起部２２の形状は特に限定されないが、例えば中心軸線Ｃと平行な中心軸を有する円柱状である。一対の第２位置決め突起部２２は、互いに周方向Ｒに離れた位置にある。一対の第２位置決め突起部２２の相対位置は特に限定されないが、例えば中心軸線Ｃを軸として回転対称となる位置が好ましい。
【００２５】
第２位置決め突起部２２は、第１位置決め突起部２１とは周方向Ｒの位置が異なる。図１に示す電子時計１０では、第２位置決め突起部２２は、第１位置決め突起部２１に対して周方向Ｒに約９０°ずれた位置にある。
なお、第２位置決め突起部の数は２に限らず、１であってもよいし、２以上の任意の数（複数）であってもよい。複数の第２位置決め突起部は、中心軸線Ｃに対してｎ回対称（ｎは２以上の整数）の回転対称位置に形成することができる。
【００２６】
固定突起部２３は、本体部２Ａの第１主面２ａに、第１軸線方向Ｃ１（図１の上方）に突出して形成されている。固定突起部２３の形状は特に限定されないが、例えば中心軸線Ｃと平行に見た形状が長円形である柱状（長円柱状）である。固定突起部２３は、例えば、長軸方向が本体部２Ａの径方向に垂直となる長円柱状である。
【００２７】
複数（例えば図１の電子時計１０では４つ）の固定突起部２３は、周方向Ｒに間隔をおいて形成されている。図１に示す電子時計１０では、複数の固定突起部２３のうち一部の固定突起部２３（図１では２つの固定突起部２３）の周方向Ｒの位置は、第２位置決め突起部２２に近接する位置である。
なお、固定突起部の数は４に限らず、１であってもよいし、２以上の任意の数（複数）
であってもよい。
【００２８】
一対の高さ台部群２４Ａは、それぞれ複数の高さ台部２４を有する。高さ台部２４は、本体部２Ａの第１主面２ａに、第１軸線方向Ｃ１（図１の上方）に突出して形成されている。高さ台部２４の形状は特に限定されないが、例えば中心軸線Ｃと平行な中心軸を有する円柱状である。
【００２９】
図１に示す電子時計１０では、高さ台部群２４Ａは、周方向Ｒに位置が異なる３つの高さ台部２４を含む。これらの３つの高さ台部２４を第１〜第３高さ台部２４ａ〜２４ｃという。第１高さ台部２４ａおよび第２高さ台部２４ｂは、固定突起部２３に近接した位置にある。第２高さ台部２４ｂおよび第３高さ台部２４ｃは、第２位置決め突起部２２に近接した位置にある。第１高さ台部２４ａの周方向Ｒの位置は、固定突起部２３に比べて第２周方向Ｒ２寄りの位置である。第２高さ台部２４ｂの周方向Ｒの位置は、固定突起部２３に比べて第１周方向Ｒ１寄り、かつ第２位置決め突起部２２に比べて第２周方向Ｒ２寄りの位置である。第３高さ台部２４ｃの周方向Ｒの位置は、第２位置決め突起部２２に比べて第１周方向Ｒ１寄りの位置である。
【００３０】
一対の高さ台部群２４Ａは、互いに周方向Ｒに離れた位置にある。一対の高さ台部群２４Ａの相対位置は特に限定されないが、例えば中心軸線Ｃを軸として回転対称となる位置が好ましい。
なお、高さ台部群の数は２に限らず、１であってもよいし、２以上の任意の数（複数）であってもよい。複数の高さ台部群は、中心軸線Ｃに対してｎ回対称（ｎは２以上の整数）の回転対称位置に形成することができる。
【００３１】
太陽電池端子２５は、ムーブメント１の回路ブロック（例えば発振回路、制御回路等を含む）と太陽電池３との電気的な導通を行う端子である。一対の太陽電池端子２５は、本体部２Ａの第１主面２ａに、周方向Ｒに間隔をおいて設けられている。
【００３２】
本体部２Ａの外周面２ｃには、複数の係合凹部２６が形成されている。係合凹部２６は、本体部２Ａの全厚さにわたって形成されている。複数（例えば図１の電子時計１０では６つ）の係合凹部２６は、周方向Ｒに間隔（好ましくは等間隔）をおいて形成されている。
なお、係合凹部の数は６に限らず、１であってもよいし、２以上の任意の数（複数）であってもよい。複数の係合凹部は、中心軸線Ｃに対してｎ回対称（ｎは２以上の整数）の回転対称位置に形成することができる。
【００３３】
太陽電池３は、太陽、照明などからの光を電気エネルギーに変換する発電部として動作する。太陽電池３は、板状に形成された板部材である。太陽電池３は、地板２の上に重なる位置に配置される。
【００３４】
太陽電池３は、本体部３Ａと、一対の第１凸部群３１と、一対の導通用凸部３４とを有する。
本体部３Ａは、中心軸線Ｃと平行な方向から見て、概略、円形状に形成されている。本体部３Ａの中央には、指針軸６が挿通する挿通孔３５が形成されている。
【００３５】
一対の第１凸部群３１は、それぞれ２つの変位規制凸部３２を有する。変位規制凸部３２は、本体部３Ａの外周縁３ｃに、本体部３Ａの径方向外方に突出して形成されている。２つの変位規制凸部３２は互いに近接し、周方向Ｒに間隔をおいて形成されている。
【００３６】
２つの変位規制凸部３２の間に形成された凹状の箇所を第１位置決め凹部３３（第１位置決め受け部）という。第１位置決め凹部３３は、地板２の第１位置決め突起部２１が係止可能となる位置に形成される。第１位置決め凹部３３の周方向Ｒの寸法は、地板２の第１位置決め突起部２１が第１位置決め凹部３３に入って係止したときに太陽電池３の位置ずれを規制することができるように設計される。
【００３７】
一対の第１凸部群３１は、互いに周方向Ｒに離れた位置にある。一対の第１凸部群３１の相対位置は特に限定されないが、例えば中心軸線Ｃを軸として回転対称となる位置が好ましい。
なお、第１凸部群の数は２に限らず、１であってもよいし、２以上の任意の数（複数）であってもよい。複数の第１凸部群は、中心軸線Ｃに対してｎ回対称（ｎは２以上の整数）の回転対称位置に形成することができる。
【００３８】
導通用凸部３４は、本体部３Ａの外周縁３ｃに、本体部３Ａの径方向外方に突出して形成されている。一対の導通用凸部３４は、周方向Ｒに間隔をおいて形成されている。導通用凸部３４は、地板２の太陽電池端子２５に当接し、電気的に導通する。
【００３９】
枠体４は、本体部４Ａと、複数の枠体固定部４１とを備えている。枠体４は、太陽電池３の上に設けられる。
本体部４Ａは、例えば、中心軸線Ｃと平行な方向から見て、概略、円形の環状に形成されている。本体部４Ａは、例えば、表示板５の外周を囲む形状である。本体部４Ａは、太陽電池３の一部（例えば第１凸部群３１および導通用凸部３４）の上面（第１軸線方向Ｃ１側の面）に当接可能である。
【００４０】
枠体固定部４１は、主部４２と、固定爪４３とを有する。主部４２は、本体部４Ａの第２主面４ｂ（第２軸線方向Ｃ２側の面）に、第２軸線方向Ｃ２（図１の下方）に突出して形成されている。主部４２は、例えば、本体部４Ａの径方向に対して垂直な板状である。主部４２は、厚さ方向に弾性的に曲げ変形可能である。主部４２の幅（周方向Ｒの寸法）は、地板２の係合凹部２６に入り込むことができるように定められる。
固定爪４３は、主部４２の下端部に、枠体４の径方向の内方に向けて突出している。
【００４１】
枠体固定部４１は、地板２の係合凹部２６に係合するように形成されている。枠体固定部４１は、係合凹部２６と同数（６つ）であって、周方向Ｒに間隔（好ましくは等間隔）をおいて形成されている。枠体固定部４１は、主部４２が地板２の係合凹部２６に入り、固定爪４３が係合凹部２６の下端で地板２に係止することによって、枠体４が上方（第１軸線方向Ｃ１）に移動するのを規制する。
【００４２】
枠体４は、枠体固定部４１が地板２に係止することによって、太陽電池３（例えば第１凸部群３１および導通用凸部３４）を上から押さえつけた状態で、地板２に固定される。枠体４によって、太陽電池３の導通用凸部３４は地板２の太陽電池端子２５に押さえつけられ、導通用凸部３４と太陽電池端子２５との間で確実な電気的導通が得られる。
【００４３】
表示板５は、例えば文字板である。表示板５は、枠体４内であって太陽電池３の上に重なる位置に配置される。表示板５は、太陽電池３に当接してもよいし、太陽電池３から離間していてもよい。
【００４４】
表示板５は、本体部５Ａと、複数の固定用凸部群５１と、一対の変位規制凸部５２とを有する。表示板５は、太陽電池３において充電に必要な光を透過するように構成されている。例えば、表示板５は、前記光を透過する材質で形成される。表示板５は、充電に必要な光が透過できればよく、光を透過しない材質を用いた場合でも、例えば微小な貫通孔が複数形成され、この貫通孔を通して光が透過できればよい。
【００４５】
本体部５Ａは、中心軸線Ｃと平行な方向から見て、概略、円形状に形成されている。本体部５Ａの中央には、指針軸６が挿通する挿通孔５６が形成されている。本体部５Ａの第１主面５ａは、例えば、中心軸線Ｃ周りの全周にわたって形成されて時刻を表示する表示領域（図示略）を有する。この表示領域には、時刻を表示する複数の目盛り（指標）（図示略）が形成されている。複数の目盛りは、例えば、中心軸線Ｃの周囲における所定の位置に形成され、指針（図示略）により時刻を表示する。
【００４６】
固定用凸部群５１は、それぞれ２つの固定用凸部５３を有する。固定用凸部５３は、本体部５Ａの外周縁５ｃに、本体部５Ａの径方向外方に突出して形成されている。２つの固定用凸部５３は互いに近接し、周方向Ｒに間隔をおいて形成されている。
【００４７】
２つの固定用凸部５３の間に形成された凹状の箇所を固定凹部５４（固定受け部）という。固定凹部５４は、地板２の固定突起部２３が嵌合可能となる位置に形成される。固定凹部５４の周方向Ｒの寸法は、地板２の固定突起部２３が固定凹部５４に嵌合して表示板５を固定できるように設計される。
複数の固定用凸部群５１は、互いに周方向Ｒに離れた位置にある。固定用凸部群５１の数は、地板２の固定突起部２３と同数（４つ）である。
【００４８】
変位規制凸部５２は、本体部５Ａの外周縁５ｃに、本体部５Ａの径方向外方に突出して形成されている。変位規制凸部５２は、固定用凸部群５１を構成する２つの固定用凸部５３のうち一方に近接し、かつこの固定用凸部５３から周方向Ｒに間隔をおいて形成されている。
【００４９】
変位規制凸部５２と固定用凸部５３との間に形成された凹状の箇所を第２位置決め凹部５５という。第２位置決め凹部５５の数は、地板２の第２位置決め突起部２２と同数（２つ）である。第２位置決め凹部５５は、地板２の第２位置決め突起部２２が係止可能となる位置に形成される。第２位置決め凹部５５の周方向Ｒの寸法は、地板２の第２位置決め突起部２２が第２位置決め凹部５５に入って係止したときに表示板５の位置ずれを規制することができるように設計される。
【００５０】
表示板５は、例えば固定用凸部５３および変位規制凸部５２が地板２の高さ台部２４に当接し、下方移動が規制されることによって、厚さ方向の位置決めがなされる。図１に示す電子時計１０では、２つの固定用凸部５３がそれぞれ第１高さ台部２４ａおよび第２高さ台部２４ｂに当接し、変位規制凸部５２が第３高さ台部２４ｃに当接する。これによって、表示板５が厚さ方向に位置決めされる。
【００５１】
指針軸６は、第１軸線方向Ｃ１（図１の上方）に突出して形成されている。指針軸６は、例えば、時針、分針、および秒針（いずれも図示略）の軸を有している。指針軸のそれぞれの軸には、時針、分針、および秒針が固定されている。指針軸６は、例えば、ムーブメント１内のモータ（図示略）によって駆動する。
【００５２】
次に、電子時計１０の組立方法について図２〜図７を参照して説明する。
図２および図３に示すように、太陽電池３を地板２に組み付ける。地板２の第１位置決め突起部２１が太陽電池３の第１位置決め凹部３３に係止することによって、太陽電池３は地板２に対して面内方向に位置決めされる。導通用凸部３４は、地板２の太陽電池端子２５に当接し、電気的に導通する。
【００５３】
次いで、図４および図５に示すように、枠体４を地板２に組み付ける。枠体４は、枠体固定部４１の主部４２が地板２の係合凹部２６に入り、固定爪４３が係合凹部２６の下端で地板２に係止することによって、地板２に対して固定される。枠体４は、太陽電池３（例えば第１凸部群３１および導通用凸部３４）を上から押さえつけた状態で、地板２に固定される。枠体４によって、導通用凸部３４は太陽電池端子２５に押さえつけられ、確実な電気的導通が得られる。
【００５４】
次いで、図６および図７に示すように、表示板５を地板２に組み付ける。地板２の第２位置決め突起部２２が表示板５の第２位置決め凹部５５に係止することによって、表示板５は地板２に対して面内方向に位置決めされる。表示板５は、地板２の固定突起部２３が固定凹部５４に係合することによって地板２に固定される。
これによって、図１に示す電子時計１０が組み立てられる。
【００５５】
電子時計１０は、太陽電池３と表示板５とがいずれも地板２に対して位置決めされるため、太陽電池３と表示板５とを面内方向に精度よく位置決めできる。また、表示板５が直接、地板２に当接して位置決めされるため、表示板５を厚さ方向に精度よく位置決めすることができる。そのため、例えば指針と表示板５との隙間を小さく設計することができ、電子時計１０の薄型化の点で有利である。
【００５６】
電子時計１０では、地板２に第１位置決め突起部２１および第２位置決め突起部２２が形成され、太陽電池３に、第１位置決め突起部２１に係合する第１位置決め凹部３３が形成され、表示板５に、第２位置決め突起部２２に係合する第２位置決め凹部５５が形成されている。そのため、太陽電池および表示板に突起が形成され、地板に前記突起に係止する凹部が形成されている場合に比べて、太陽電池および表示板の構造が簡略となり、その製造が容易となる。
【００５７】
電子時計１０では、枠体４を有するため、太陽電池３の浮き上がりを防ぎ、太陽電池３を精度よく厚さ方向に位置決めできる。また、枠体４を表示板５の外周を囲む形状とすることで、ムーブメント１等を前記ケースに収納する際に、誤って表示板５が脱落するのを防ぐことができる。また、枠体４によって太陽電池３の導通用凸部３４が地板２の太陽電池端子２５に押さえつけられるため、導通用凸部３４と太陽電池端子２５との間の確実な電気的導通が得られる。
【００５８】
電子時計１０では、地板２に、表示板５に当接して表示板５の厚さ方向の位置を定める高さ台部２４が形成されているため、表示板５の厚さ方向の位置決め精度を高めることができる。
【００５９】
電子時計１０では、地板２に、固定突起部２３が形成され、表示板５に、固定突起部２３に係合する固定凹部５４が形成されているため、表示板５を地板２に確実に固定できる。
【００６０】
電子時計１０は、太陽電池３を有するため、太陽、照明などからの光を電気エネルギーに変換して利用することができる。
【００６１】
＜第２の実施形態＞
次に、第２の実施形態について説明する。以下、既出の実施形態との共通点については同じ符号を付して説明を省略する。
図８は、第２実施形態に係る電子時計１１０（時計）の分解斜視図である。
図８に示すように、電子時計１１０は、ムーブメント１０１と、表示板５と、を備えている。ムーブメント１０１は、ムーブメント本体１０１Ａと、地板１０２と、太陽電池１０３と、枠体４と、指針軸６とを備えている。
太陽電池１０３は、一対の第１凸部群１３１の周方向Ｒの位置が、第１の実施形態の電子時計１０における太陽電池３とは異なる。
【００６２】
一対の第１凸部群１３１は、それぞれ２つの変位規制凸部１３２を有する。２つの変位規制凸部１３２の間に形成された凹状の箇所を第１位置決め凹部１３３（第１位置決め受け部）という。第１位置決め凹部１３３は、地板１０２の第２位置決め突起部２２が係止可能となる位置に形成される。第１位置決め凹部１３３の周方向Ｒの寸法は、地板１０２の第２位置決め突起部２２が第１位置決め凹部１３３に入って係止したときに太陽電池１０３の位置ずれを規制することができるように設計される。
【００６３】
地板１０２は、第１の実施形態の電子時計１０における一対の高さ台部群２４Ａに代えて、一対の高さ台部１２４を有する。高さ台部１２４は、本体部２Ａの第１主面２ａに、第１軸線方向Ｃ１（図１の上方）に突出して形成されている。高さ台部１２４は、固定突起部２３に近接した位置にある。
表示板５は、例えば固定用凸部５３および変位規制凸部５２が地板２の高さ台部１２４に当接し、下方移動が規制されることによって、厚さ方向の位置決めがなされる。
【００６４】
電子時計１１０は、太陽電池１０３と、表示板５とが、いずれも地板１０２に対して位置決めされるため、太陽電池１０３と表示板５とを面内方向に精度よく位置決めできる。また、表示板５を、厚さ方向に精度よく位置決めすることができるため、例えば指針と表示板５との隙間を小さく設計することができ、電子時計１１０の薄型化の点で有利である。
【００６５】
電子時計１１０は、太陽電池１０３と、表示板５とが、共通の第２位置決め突起部２２に対して位置決めされるため、太陽電池と表示板とが係止する位置決め突起部が互いに異なる場合に比べ、太陽電池１０３と表示板５との位置決め精度を高めることができる。
【００６６】
＜第３の実施形態＞
次に、第３の実施形態について説明する。以下、既出の実施形態との共通点については同じ符号を付して説明を省略する。
図９は、第３実施形態に係る電子時計２１０の分解斜視図である。
図９に示すように、電子時計２１０は、ムーブメント２０１と、表示板５と、を備えている。ムーブメント２０１は、ムーブメント本体２０１Ａと、地板２と、耐磁板７と、太陽電池３と、枠体４と、指針軸６とを備えている。ムーブメント本体２０１Ａはアンテナ素子２０２を内蔵する。
【００６７】
耐磁板７は、ムーブメント本体２０１Ａ（例えばモータ等）への外部磁場の影響を抑制する機能を有する。耐磁板７は、例えば、パーマロイ、純鉄、ステンレス鋼などの金属（導電性材料）で構成される。耐磁板７は、磁性材料（特に高透磁率材料）で構成されることが望ましい。耐磁板７は、太陽電池３の下面側（地板２側）に設けられる。
【００６８】
耐磁板７は、本体部７Ａと、一対の第１凸部群７１と、一対の案内凸部群７４とを有する。本体部７Ａは、中心軸線Ｃと平行な方向から見て、概略、円形状に形成されている。本体部７Ａの中央には、指針軸６が挿通する挿通孔７７が形成されている。
【００６９】
本体部７Ａは切欠き７８を有する。切欠き７８は、本体部７Ａの周縁の一部に形成されている。切欠き７８は、中心軸線Ｃと平行に見て（すなわち地板２の厚さ方向から見て）、耐磁板７が、アンテナ素子２０２に重なる位置を回避するように形成されている。切欠き７８によって、アンテナ素子２０２が耐磁板７に覆われるのを回避できる。そのため、アンテナ素子２０２の送受信の特性を高めることができる。
【００７０】
一対の第１凸部群７１は、それぞれ２つの変位規制凸部７２を有する。変位規制凸部７２は、本体部７Ａの外周縁７ｃに、本体部７Ａの径方向外方に突出して形成されている。２つの変位規制凸部７２は互いに近接し、周方向Ｒに間隔をおいて形成されている。
【００７１】
２つの変位規制凸部７２の間に形成された凹状の箇所を第３位置決め凹部７３（第３位置決め受け部）という。第３位置決め凹部７３は、地板２の第１位置決め突起部２１が係止可能となる位置に形成される。第３位置決め凹部７３の周方向Ｒの寸法は、地板２の第１位置決め突起部２１が第３位置決め凹部７３に入って係止したときに耐磁板７の位置ずれを規制することができるように設計される。
【００７２】
一対の第１凸部群７１は、互いに周方向Ｒに離れた位置にある。一対の第１凸部群７１の相対位置は特に限定されないが、例えば中心軸線Ｃを軸として回転対称となる位置が好ましい。
なお、第１凸部群の数は２に限らず、１であってもよいし、２以上の任意の数（複数）であってもよい。複数の第１凸部群は、中心軸線Ｃに対してｎ回対称（ｎは２以上の整数）の回転対称位置に形成することができる。
【００７３】
案内凸部群７４は、それぞれ２つの案内凸部７５を有する。案内凸部７５は、本体部７Ａの外周縁７ｃに、本体部７Ａの径方向外方に突出して形成されている。２つの案内凸部７５は互いに近接し、周方向Ｒに間隔をおいて形成されている。
【００７４】
２つの案内凸部７５の間に形成された凹状の箇所を案内凹部７６（案内受け部）という。案内凹部７６は、地板２の固定突起部２３が入り込む位置に形成される。案内凹部７６の周方向Ｒの寸法は、地板２の固定突起部２３が案内凹部７６に入って係止できるように設計される。電子時計２１０では、落下等により衝撃が加えられることにより第３位置決め凹部７３に変形が生じた場合でも、固定突起部２３が案内凹部７６に係止することによって、耐磁板７の脱落を防ぐことができる。
【００７５】
一対の案内凸部群７４は、互いに周方向Ｒに離れた位置にある。一対の案内凸部群７４の相対位置は特に限定されないが、例えば中心軸線Ｃを軸として回転対称となる位置が好ましい。
なお、案内凸部群の数は２に限らず、１であってもよいし、２以上の任意の数（複数）であってもよい。複数の案内凸部群は、中心軸線Ｃに対してｎ回対称（ｎは２以上の整数）の回転対称位置に形成することができる。
【００７６】
耐磁板７は、ムーブメント本体２０１Ａに設けられたアース導通部（導通部）に電気的に導通する。これにより静電ノイズを抑制できる。耐磁板７とアース導通部とは直接、当接してもよいし、導通部材を介して当接してもよい。
【００７７】
耐磁板７とアース導通部とが直接、当接する構造としては、図１０および図１１に示す構造を例示できる。図１０に示す構造では、アース導通部２０３は、ムーブメント本体２０１Ａの金属板２０５に形成された凸部であり、耐磁板７の下面に当接する。アース導通部２０３は、上面が凸状であり、下面が凹状である形状（例えば、半抜き形状）である。図１１に示す構造では、アース導通部２０４は、ムーブメント本体２０１Ａの金属板２０６から延出する弾性片であり、耐磁板７の下面に当接する。図１０および図１１に示す構造では、アース導通部２０３，２０４は、それぞれ金属板２０５，２０６に一体に形成されている。アース導通部２０３，２０４は、弾性力により耐磁板７の当接を確保できる。
【００７８】
図１０および図１１では、アース導通部が前述の当接構造（凸部または弾性片）を有するが、この当接構造は、耐磁板７に設けられていてもよい。すなわち、例えば、耐磁板７に設けられた半抜き形状の凸部がムーブメント本体２０１Ａの金属板に当接する構造を採用できる。また、耐磁板７に設けられた弾性片がムーブメント本体２０１Ａの金属板に当接する構造を採用してもよい。また、前述の当接構造（凸部または弾性片）は、耐磁板７とムーブメント本体２０１Ａの両方に設けられていてもよい。
耐磁板７とアース導通部との間に導通部材が介在する構造を採用する場合、導通部材としては、針座、ワッシャ、板バネなどを使用できる。
【００７９】
次に、電子時計２１０の組立方法について図１２および図１３を参照して説明する。
図１２および図１３に示すように、耐磁板７を地板２に組み付ける。地板２の第１位置決め突起部２１は第３位置決め凹部７３に係止する。地板２の固定突起部２３は案内凹部７６に係止する。次いで、第１の実施形態における組立方法と同様にして、太陽電池３、枠体４、表示板５を設置する（図２〜図７参照）。これによって、図９に示す電子時計２１０が組み立てられる。
【００８０】
電子時計２１０は、耐磁板７と、太陽電池３と、表示板５とが、いずれも地板２に対して位置決めされるため、耐磁板７と太陽電池３と表示板５とを面内方向に精度よく位置決めできる。
【００８１】
なお、本発明の技術的範囲は上述した実施形態に限定されず、本発明の趣旨を逸脱しない範囲において種々の変更を加えることが可能である。
図１に示す電子時計１０は、地板２に位置決め突起部２１，２２が形成され、太陽電池３および表示板５に、それぞれ位置決め凹部３３，５５が形成されているが、実施形態の時計はこの構成に限定されない。例えば、太陽電池および表示板にそれぞれ位置決め突起部が形成され、地板に、前記位置決め突起部に係合する位置決め凹部が形成されていてもよい。この場合、太陽電池および表示板に形成された位置決め突起部はそれぞれ「第１位置決め受け部」および「第２位置決め受け部」であり、地板の位置決め凹部は「位置決め部」である。
【００８２】
図１に示す電子時計１０では、表示板５の固定凹部５４が地板２の固定突起部２３に係合するが、実施形態の時計はこれに限らず、表示板の突起（固定受け部）が地板の凹部（表示板固定部）に係合する構造を採用してもよい。
【００８３】
図１に示す電子時計１０は、太陽電池３の上に表示板５が配置されているが、実施形態の時計は、表示板の上に太陽電池が配置されていてもよい。
図１に示す電子時計１０は、太陽電池３を保持するための枠体４を有するが、実施形態の時計は、枠体がない構成も可能である。
図１に示す電子時計１０は太陽電池３を有するが、実施形態の時計は、太陽電池３に代えて、他の板部材、例えば、板状コイルからなるアンテナ、板状の有機ＥＬ（ＥｌｅｃｔｒｏＬｕｍｉｎｅｓｃｅｎｃｅ）表示装置などを使用してもよい。
【００８４】
図１に示す電子時計１０では、太陽電池３は、一対の第１位置決め凹部３３が第１位置決め突起部２１に係止することによって地板２に位置決めされる。表示板５は、一対の第２位置決め凹部５５が第２位置決め突起部２２に係止することによって地板２に位置決めされる。
実施形態の時計はこの構成に限らず、複数の第１位置決め凹部のうち少なくとも１つ（１箇所）がいずれかの位置決め突起部に係止し、複数の第２位置決め凹部のうち少なくとも１つ（１箇所）がいずれかの位置決め突起部に係止する構成であってもよい。例えば、複数の第１位置決め凹部のうち一部のみが第１位置決め突起部に係止し、複数の第２位置決め凹部のうち一部のみが第２位置決め突起部に係止する構成であってもよい。
【００８５】
図８に示す電子時計１１０では、太陽電池１０３は、一対の第１位置決め凹部１３３が第２位置決め突起部２２に係止することによって地板２に位置決めされる。表示板５は、一対の第２位置決め凹部５５が第２位置決め突起部２２に係止することによって地板２に位置決めされる。
実施形態の時計はこの構成に限らず、太陽電池の複数の第１位置決め凹部のうち少なくとも１つ（１箇所）と、表示板の複数の第２位置決め凹部のうち少なくとも１つ（１箇所）とが共通の位置決め凹部に係止する構成であってもよい。例えば、複数の第１位置決め凹部のうち一部と、複数の第２位置決め凹部のうち一部とが、共通の第２位置決め突起部に係止する構成であってもよい。
【符号の説明】
【００８６】
２，１０２…地板、３，１０３…太陽電池（板部材）、４…枠体、５…表示板、７…耐磁板、１０，１１０…電子時計（時計）、２１…第１位置決め突起部（位置決め部、突起）、２２…第２位置決め突起部（位置決め部、突起）、２３…固定突起部（表示板固定部）、２４，１２４…高さ台部（台部）、３３，１３３…第１位置決め凹部（第１位置決め受け部、凹部）、５４…固定凹部（固定受け部）、５５…第２位置決め凹部（第２位置決め受け部、凹部）、７３…第３位置決め凹部（第３位置決め受け部）、７６…案内凹部（案内受け部）、７８…切欠き、２０２…アンテナ素子、２０３，２０４…アース導通部。
【図１】
2018128443.tif 000003
【図２】
2018128443.tif 000004
【図３】
2018128443.tif 000005
【図４】
2018128443.tif 000006
【図５】
2018128443.tif 000007
【図６】
2018128443.tif 000008
【図７】
2018128443.tif 000009
【図８】
2018128443.tif 000010
【図９】
2018128443.tif 000011
【図１０】
2018128443.tif 000012
【図１１】
2018128443.tif 000013
【図１２】
2018128443.tif 000014
【図１３】
2018128443.tif 000015